(57)【要約】【課題】  従来の座椅子は携帯に不便であったり、目立ったり、重かったり、組立が容易でなかったり、補助用具が必要であったり、高さが調節出来なかったり、高価であったりした。【解決手段】  本発明は上記課題を解決する為に、完成形が多角柱状、若しくは円柱状になる様に、内面の幅が外面より小さくした柱状体を同心円状に隙間無く羅列し繋ぎ止め、両端を取外し自由に固定出来る構造とした。又、多角柱状、若しくは円柱状の高さが高い物と低い物を上下に取外し自在に繋ぎ止め、任意に高さ調節できるようにした。【選択図】図１
2008023095.tif 000002
【特許請求の範囲】
【請求項１】
内面の幅を外面の幅よりより小さくした柱状体を複数個、同心円状に隙間無く繋ぎ合わせ、両端を合わせて固定したときの完成形の外観が多角柱または円柱になることを特徴とする簡易携帯椅子。
【請求項２】
両端の合わせ固定を着脱自在にしたことを特徴とする請求項１の簡易携帯椅子。
【請求項３】
同一形状で高さの異なる柱状体を任意に組み合わせることにより、高さが調節できることを特徴とする請求項１の簡易携帯椅子。
【発明の詳細な説明】
【技術分野】
【０００１】
本発明は、正座をする時に手軽に使用出来、組立、折畳みが非常に簡単に出来、軽量・コンパクトで持運びも便利な簡易携帯座椅子。
【背景技術】
【０００２】
正座した時の足の痺れを和らげる為の座椅子は色々な種類の物が考案され製品化されている。しかし、従来の座椅子は大きい、重い、等で携帯に不便・目立つ・組立が容易でない・補助用具が必要・高さが調節出来ない・高価であったりした。
【０００３】
エアーを利用した座椅子は補助具として空気入れが必要（例えば、特許文献１参照。）で小さな空気入れでエアーを入れるのは手間がかかる、高齢者等の力の弱い人にとっては結構大変。
【０００４】
又、折畳み式の座椅子（例えば、特許文献２参照。）は組立が複雑で本体にクッション素材が無い為、補助具としてクッション素材を入れたポーチ等が必要である。
【０００５】
又、同様にクッションが別に必要な物がある。（例えば、特許文献３参照。）
【０００６】
又、折畳み式の座椅子がある。（例えば、特許文献４参照。）これは、クッション素材を使わずに使用するようになっている。長時間の使用を必要とした場合には臀部が痛くなったりした。長時間の使用には不向きである。
【０００７】
又、分解組立式の座椅子がある。（例えば、特許文献５参照。）携帯便利ではあるが各種の部品を組立しなくていけなく、高齢者向きではない。又、形状より長時間の使用向きではない。
【０００８】
又、巾着袋に収納して持運びする座椅子がある。（例えば、特許文献６参照。）持運びに補助具の巾着が必要で荷物として嵩張る。
【０００９】
【特許文献１】特開２００５−３２３９８４号公報
【特許文献２】特開２０００−１５２８５０号公報
【特許文献３】実開平３−１６４５６号公報
【特許文献４】実開平５−８０３４０号公報
【特許文献５】特開平８−２５６８７７号公報
【特許文献６】特開２００１−３２７３５４号公報
【発明の開示】
【発明が解決しようとする課題】
【００１０】
以上に述べたように、従来の携帯座椅子は大きい、重い、等で携帯に不便・使用時に目立つ・組立が容易でない・持運び時、使用時当で補助用具が必要・高さが調節出来ない・高価・高齢者向きでない等の問題があり、それらの全ての課題を解決しようとするものである。図８参照。
【００１１】
本発明は、上記の全ての課題を解決しようとするものであり、コンパクト・軽い・携帯に便利・使用時に目立たない・組立、折畳みが高齢者、目の不自由な人等でも容易・持運び時、使用時に補助具、収納具が必用でない・使用者が必要とする高さに調節出来る・安価である等の全て課題を解決しようとするものである。
【課題を解決するための手段】
【００１２】
そして、本発明は上記課題を解決するために、材木・発砲スチロール系の軽くて丈夫素材を使った本体３とウレタン等のクッション部４とからなる任意の大きさ、形状の立方体２を横方向に生地等の素材５で複数繋ぎ合わせ、マジックテープ（登録商標）７，８で両端を固定したとき完成形の外観が多角柱状１又は円柱状になる形状にした。又、高さの異なる同様の仕組みのもの１２−１を積重ねる様に多角柱１の下部マジックテープ（登録商標）９と１２−１の上部マジックテープ（登録商標）１４とをくっつけた。又、本体・クッション部の素材は軽くて丈夫であればなんでもよく限定しない。又、本体を繋ぐ素材も限定しない。
【００１３】
課題解決手段による作用は次の通りである。
【発明の効果】
【００１４】
軽くて丈夫。又、使用時、持運び時に補助具が必要でない。
【００１５】
コンパクトでポケット等にも収納可能で持運びに便利。又、使用時に目立たない。
【００１６】
安価に製造することが可能。
【００１７】
使用者の都合の良い高さで使用出来る。
【００１８】
組立、折畳みが非常に容易で高齢者、目の不自由な人にも可能である。
【発明を実施するための最良の形態】
【００１９】
以下、本発明の実施の形態を図１〜図８にもとづいて説明する。
【００２０】
図２より、軽くて丈夫な発砲スチロール系の素材で作った任意の大きさ形状の３とウレタン材のクッション４を接着した本体２を複数個作る。図３・図４の様に生地（布地等）５に本体２を複数個接着する。又、図４の様に生地５には表側（外側）端になる部分にマジックテープ（登録商標）雌８を接着する。又、図３の様に生地５には袖部分（本体２より出っ張った部分）６の裏側（内側）にマジックテープ（登録商標）雄７を接着する。又、図１よりマジックテープ（登録商標）雄７をマジックテープ（登録商標）雌８に止め固定した時、正多角柱１もしくは円柱状になる。又、本体２の形状・大きさ・数量は正多角柱１・円柱の大きさより割出す。図５より折畳んだ時はコンパクトになりポケットにも収納出来る大きさになる。又、図６より正多角柱１と同一形状・同一の仕組みで作った高さのみを低くした正多角柱１２又は円柱状の物を複数個作る。図３・図５の様に正多角柱１の底の部分にはマジックテープ（登録商標）雌９を接着する。図６より正多角柱１２の底部分にはマジックテープ（登録商標）雌１５を接着する。図７より正多角柱１２の上面部分にはマジックテープ（登録商標）雄１６を接着する。又、図１の様に正多角柱１の底部分に接着したマジックテープ（登録商標）雌９に正多角柱１２の上面部分に接着したマジックテープ（登録商標）雄１６を取付ける。同様に正多角柱１２−１の底部分に接着したマジックテープ（登録商標）雌１５に正多角柱１２−２上面部分に接着したマジックテープ（登録商標）雄１６を取付けると図１の様に重なった状態の完成品が出来、これを取付けたり、取外したりして高さを調整して使用する。又、背を高くして単に一般の椅子として使用する事が可能である。
【図面の簡単な説明】
【００２１】
【図１】本発明の実施形態を示す完成形斜視図
【図２】木地となる本体部分の斜視図。
【図３】正多角柱に完成した座椅子を展開して裏側から見た時の斜視図。
【図４】正多角柱に完成した座椅子を展開して表側から見た時の斜視図。
【図５】正多角柱に完成した座椅子を展開して折畳んだ状態の斜視図。
【図６】高さを低くした正多角柱１２を展開して裏側から見た時の斜視図。
【図７】高さを低くした正多角柱１２を展開して表側から見た時の斜視図。
【図８】従来からある座椅子の一例の斜視図。
【符号の説明】
【００２２】
１    正多角柱の座椅子本体。
２    正多角柱の一つのブロックになる３と４を接着した木地部分。
３    正多角柱の一つのブロックになる木地部分の本体。
４    正多角柱の一つのブロックになる木地部分のクッション部分。
５    ブロック木地２を接着し繋ぎ合せる為の生地。
６    生地の袖部分。
７    生地の袖部分の裏側に接着したマジックテープ（登録商標）雄。
８    生地の表側に接着したマジックテープ（登録商標）雌。
９    本体１の底の部分に接着したマジックテープ（登録商標）雌。
１０  高さを低く作った正多角柱１２の袖部分。
１１  正多角柱１２の一つ一つのブロック。
１２−１  高さを低く作った正多角柱−１。
１２−２  高さを低く作った正多角柱−２。
１３  正多角柱１２の袖の裏側に接着したマジックテープ（登録商標）雄。
１４  正多角柱１２の表側に接着したマジックテープ（登録商標）雌。
１５  正多角柱１２の底部分に接着したマジックテープ（登録商標）雌。
１６  正多角柱１２の上面部分に接着したマジックテープ（登録商標）雄。
１７  従来の座椅子の斜視図。
【図１】
2008023095.tif 000003
【図２】
2008023095.tif 000004
【図３】
2008023095.tif 000005
【図４】
2008023095.tif 000006
【図５】
2008023095.tif 000007
【図６】
2008023095.tif 000008
【図７】
2008023095.tif 000009
【図８】
2008023095.tif 000010